(57)【要約】無接触式に間隔測定するための手持ち式機器であって、ケーシング（１１）が設けられており、該ケーシング（１１）が、測定方向（１７）に向いたケーシング正面（１５）と、該ケーシング正面（１５）とは反対向きのケーシング背面（１６）とを備えており、該ケーシング背面（１６）に形成された、測定方向（１７）とは反対向きのライン状の第１の測定ストッパ（２１）が設けられており、該第１の測定ストッパ（２１）が、間隔測定のための基準面（１８）に位置するようになっており、ケーシング背面（１６）に配置された、測定方向に対して垂直に向けられた、測定方向（１７）とは反対向きの面状の第２の測定ストッパ（２２）を形成するための手段が設けられている。別の測定目的のための、測定方向に向いた平面状の第３の測定ストッパをケーシング（１１）に設けるような可能性をも提供して、第２の測定ストッパ（２２）を構造的に簡単に実現するためには、第２の測定ストッパ（２２）を形成するための前記手段が、ケーシング（１１）に旋回可能に保持された楔形旋回部材（２４）を備えており、該楔形旋回部材（２４）の１つの楔面（２４１）が、第２の測定ストッパ（２２）を備えている。
2005504285.tif 000002
【特許請求の範囲】
【請求項１】
無接触式に間隔測定するための手持ち式機器であって、ケーシング（１１）が設けられており、該ケーシング（１１）が、測定方向（１７）に向いたケーシング正面（１５）と、該ケーシング正面（１５）とは反対向きのケーシング背面（１６）とを備えており、該ケーシング背面（１６）に形成された、測定方向（１７）とは反対向きのライン状の第１の測定ストッパ（２１）が設けられており、該第１の測定ストッパ（２１）が、間隔測定のための基準面（１８）に位置するようになっており、ケーシング背面（１６）に配置された、測定方向（１７）に対して垂直に向けられた、測定方向とは反対向きの面状の第２の測定ストッパ（２２）を形成するための手段が設けられており、該第２の測定ストッパ（２２）が、間隔測定のための基準面（１８）に位置するようになっている形式のものにおいて、
第２の測定ストッパ（２２）を形成するための前記手段が、ケーシング（１１）に旋回可能に保持された楔形旋回部材（２４）を備えており、該楔形旋回部材（２４）の１つの楔面（２４１）が、第２の測定ストッパ（２２）を備えていることを特徴とする、無接触式に間隔測定するための手持ち式機器。
【請求項２】
ケーシング背面（１６）が、鋭角を成して交わる２つの角柱面（１９，２０）を備えた３角形の輪郭を有しており、有利には丸み付けされた、角柱面（１９，２０）の当接エッジが、第１の測定ストッパ（２１）を形成しており、楔形旋回部材（２４）の旋回軸線（２５）が、第１の測定ストッパ（２１）に対して平行に延びている、請求項１記載の手持ち式機器。
【請求項３】
ケーシング背面（１６）の１つの角柱面（１９）に、楔形旋回部材（２４）の導入旋回および導出旋回のための開口（２６）が設けられている、請求項２記載の手持ち式機器。
【請求項４】
楔形旋回部材（２４）が、第２の測定ストッパ（２２）が基準面（１８）に位置するように規定されている基本位置と、第２の測定ストッパ（２２）が完全にケーシング（１１）に導入旋回されている導入旋回位置とを有している、請求項３記載の手持ち式機器。
【請求項５】
楔形旋回部材（２４）が、少なくとも基本位置でケーシング（１１）にロック解除可能にロックされている、請求項４記載の手持ち式機器。
【請求項６】
楔形旋回部材（２４）の導入旋回位置で、第２の測定ストッパ（２２）を備えていない楔面（２４２）が、ケーシング背面（１６）の角柱面における開口（２６）を、有利には同一平面を成すように閉鎖するように、楔形旋回部材（２４）が形成されている、請求項４または５記載の手持ち式機器。
【請求項７】
楔形旋回部材（２４）に旋回フラップ（３２）が配置されており、該旋回フラップ（３２）が、平面状の第３の測定ストッパ（２３）を備えており、楔形旋回部材（２４）の基本位置で規定の旋回位置に移動可能であるように旋回フラップ（３２）が形成されており、該旋回位置では第３の測定ストッパ（２３）が、測定方向（１７）に向いていて、かつ間隔測定のための基準面（１８）に位置するようになっている、請求項４から６までのいずれか１項記載の手持ち式機器。
【請求項８】
楔形旋回部材（２４）の、第２の測定ストッパ（２２）を備えていない楔面（２４２）に旋回可能であるように旋回フラップ（３２）が形成されており、旋回フラップ（３２）の規定の旋回位置が、基本位置に位置する楔形旋回部材（２４）から所定の旋回角度で旋回することに基づいて得られるようになっている、請求項７記載の手持ち式機器。
【請求項９】
旋回フラップ（３２）の旋回位置の規定が、楔形旋回部材（２４）に形成されたストッパ（３６）によって行われており、該ストッパ（３６）に、旋回フラップ（３２）に形成された突起（３５）が当接するようになっている、請求項７または８記載の手持ち式機器。
【請求項１０】
楔形旋回部材（２４）の、第２の測定ストッパ（２２）を備えていない楔面（２４２）にくぼみ（３４）が一体成形されており、該くぼみ（３４）に、楔面（２４２）に旋回された旋回フラップ（３２）が収容されるようになっていて、それも旋回フラップ（３２）の、第３の測定ストッパ（２３）とは反対向きの背面が、楔面（２４２）と実質的に同一平面を成すように収容されるようになっている、請求項８または９記載の手持ち式機器。
【請求項１１】
楔形旋回部材（２４）の、第２の測定ストッパ（２２）を備えた楔面（２４１）自体が、第２のストッパ（２２）を形成している、請求項１から１０までのいずれか１項記載の手持ち式機器。
【発明の詳細な説明】
【０００１】
背景技術
本発明は、請求項１の上位概念に記載の形式の、無接触式に間隔測定するための手持ち式機器から出発する。
【０００２】
そのような手持ち式機器を用いて、適当な測定ストッパを備えた手持ち式機器が当接される基準点からの、測定される対象物の距離が測定される。そのような手持ち式機器は、レーザ測定器、超音波測定器または高周波測定器として構成することができる。いずれにせよ距離は、手持ち式機器から送信された、測定対象物で反射されて再び手持ち式機器によって受信されるインパルスの所要時間を測定することによって特定される。
【０００３】
公知の手持ち式の距離測定器（ドイツ連邦共和国特許第１９６５２４３８号明細書）では、ライン状の測定ストッパが、ケーシングの、鋭角で延びる背面の長手方向エッジによって形成されており、ケーシング上面および下面から長手方向エッジへの移行領域は、真っ直ぐか、または弓形に湾曲されている。ケーシング上面および下面に向かう所属の移行領域を含む、この長手方向エッジの中央部分は、測定方向に対して平行な回転軸線を中心に回動可能に形成されているので、この中央部分は、任意の回動角度だけ長手方向エッジの両方の外側の定置の部分に対して相対回動できる。長手方向エッジの中央部分と両方の外側部分とが互いに整合されると、距離測定器は、背面側で、長手方向エッジ、たとえば２つの壁によって形成される角隅ラインと当接され、そうしてたとえば室の対角線が測定される。長手方向エッジが、距離または間隔測定のための基準面に位置するので、距離測定器によってディスプレイに表示される値は、測定対象物、たとえば室の、対角線上に対向する別の角隅ライン、に対する角隅ラインの実際の距離である。これとは別に測定対象物に向いた側の面、たとえば壁、天井、床など、の測定のために距離測定器が使用されると、所属の移行領域を含む、長手方向エッジの中位の領域は、任意の角度たとえば９０°回動される。回転軸線が、測定方向に対して平行に向けられているので、長手方向エッジの、回転角度だけ相対回動される部分は、常に測定方向に対して垂直な平面に位置する。したがって測定方向は、扁平な当接面に対して垂直に固定して方向調整されており、当接面から測定対象物までの距離が特定される。距離測定装置によって示された結果は、測定対象物に対する選択された当接面の距離もしくは間隔に正確に適合し、しかも距離測定器において換算または変換する必要はない。
【０００４】
同様に公知の距離測定器（ドイツ連邦共和国特許出願公開第１９８０４０５１号明細書）では、基準線に当接するためのライン状の測定ストッパ、たとえば２つの壁の間の角隅ラインが省略され、平面状の測定ストッパがケーシングの扁平な背面に形成されている。外側エッジを起点として測定しようとする場合、距離測定器のための当接エッジは測定対象物とは反対に向いて位置しており、ケーシングに旋回可能に支承された旋回フラップの内側面に形成されている別のストッパが設けられている。旋回フラップは、別の測定ストッパが使用されない場合、ケーシングの下面に旋回されており、別の測定ストッパを作動させるために、９０°ケーシングから旋回することができる。この旋回フラップの旋回位置では、別の測定ストッパは、測定対象物に向いていて、かつ距離測定のための基準面に位置しているので、別の測定ストッパが外側エッジに当接して、測定過程をトリガすることに基づいて、ディスプレイに表示された距離値は、当接エッジからの測定対象物までの実際の間隔である。
【０００５】
発明の利点
本発明による無接触式に距離または間隔測定するための手持ち式機器が有するところの利点によれば、本発明の楔形旋回部材によって、ライン状の第１の測定ストッパを、測定対象物に向いた角隅ラインに当接することと、平面状の第２の測定ストッパを、測定対象物に向いた面に当接することによる距離測定の２つの測定形式以外に、簡単な形式で追加的に第３の測定ストッパを実現することができ、この第３の測定ストッパは、測定対象物とは反対向きの面に距離測定器を当接させることができる。本発明の有利な実施形態では、この第３の測定ストッパを実現する構成によれば、楔形旋回部材に旋回フラップが旋回可能に配置されており、この旋回フラップは、平面状の第３の測定ストッパを備えていて、しかもこの旋回フラップは、楔形旋回部材と旋回フラップとの規定の旋回位置で第３の測定ストッパが測定方向に向いていて、かつ間隔測定のための基準面に位置するように、形成されている。３つの測定ストッパの全てがそれぞれの作動に基づいて間隔測定のための基準面に位置するので、手持ち式機器のディスプレイに表示された距離値は、これら３つの測定ストッパのうちのどれが利用されるかに関係なく、当接エッジまたは当接面と測定対象物との間の実際の距離に相当する。距離値の換算または別の基準面への測定器の切換は回避される。
【０００６】
従属請求項に記載された構成によって、請求項１に記載の、無接触式に間隔測定するための手持ち式機器の有利な実施形態および改良形が得られる。
【０００７】
本発明の有利な実施形態によれば、楔形旋回部材は、第２の測定ストッパが基準面に位置する基本位置と、第２の測定ストッパが完全にケーシング内に導入旋回されている導入旋回位置とを有している。基本位置では、楔形旋回部材は、ケーシングにロック解除可能にロックされている。このような楔形旋回部材の基本位置の設定によって、手持ち式機器は、主要使用目的、つまり測定対象物に向いた当接面からの距離測定のために持続的にセットされている。別の測定目的のためには、それぞれ必要な測定ストッパは、一回の操作によって作動させればよく、つまり第３の測定ストッパを作動させるためには、基本位置に存在する楔形旋回部材の旋回フラップの旋回によって、第１の測定ストッパを作動させるためには、基本位置に存在する楔形旋回部材のケーシングへの導入旋回によって作動させればよい。
【０００８】
実施例の説明
次に本発明の実施例を図示し、詳しく説明する。
【０００９】
図１〜図３には、種々異なる２つの測定目的のために調節された、無接触式に間隔測定するための、手持ち式距離測定器とも呼ばれる手持ち式機器が側面図で示されている。この手持ち式機器は、ほぼ直方体状のケーシング１１を備えており、その上面１２には、スイッチオンもしくはスイッチオフと様々な測定プログラムの呼び出しとのための様々な機能キー１３、ならびに測定過程をトリガするためのキー１４が配置されている。さらに上面１２には、図示していない表示部が設けられており、この表示部には、求められた測定値ならびに別の情報が表示される。測定方向１７に向いた正面１５には、測定ビームの出射のため、かつ測定インパルスの入射および出射のための窓が設けられており、これに対して測定方向１７とは反対向きの、ケーシング１１の背面１６は、測定過程を実施する際のケーシング１１の当接部として役立つ。正面１５は、かなり湾曲して形成されており、したがって作業員は、誤って正面１５を手持ち式機器の当接のために使用することはない。
【００１０】
たとえばレーザ測定器として形成された手持ち式機器の構造および作用形式は、ドイツ連邦共和国特許出願公開第１９８０４０５１号明細書に記載されており、ここで説明する本発明の枠内で意味するところによれば、測定過程のトリガに基づいて手持ち式機器によって示される、測定対象物に対する距離または間隔は、ケーシング１１において規定された基準面１８から（図２、図４および図５）測定される。つまり測定対象物に対する所望の位置からの距離を、手持ち式機器の表示部またはディスプレイにおいて正確な測定値で読み取ろうとすると、手持ち式機器は、背面１６で、基準面１８に位置するような位置に置かれる。このためにケーシング背面１６にはそれぞれ異なる３つの測定ストッパが設けられており、これらの測定ストッパは、それぞれ異なる３つの測定目的を実施するためにそれぞれ作動可能である。これらの測定目的とは；
１．  手持ち式機器を当接させるためのライン状の基準位置、たとえば交わる２つの室壁の間の角隅ラインの設けられた、対向する２つの測定対象物の間の間隔測定、
２．  測定対象物に向いた当接面の設けられた、対向する２つの測定対象物の間の間隔測定、たとえば対向する室壁の間の距離、
３．  手持ち式機器のための、測定対象物とは反対向きの当接面、たとえばテーブルエッジの設けられた、対向する２つの測定対象物の間の間隔測定、
である。
【００１１】
ここでは第２の測定目的が、間隔測定のための手持ち式機器の主要使用例を成す。
【００１２】
第１の測定ストッパ２１は、測定方向１７とは反対向きに位置していてライン状に形成されていて、かつ第１の測定目的を実施するために設けられており、この第１の測定ストッパ２１を実現するために、ケーシング背面１６は、鋭角を成して交わる２つの角柱面１９，２０を備えた、角柱状の３角形の輪郭を有しており、この場合当接エッジがライン状の第１の測定ストッパ２１を形成する。当接エッジは軽く丸み付けされており、間隔測定のための基準面１８は、測定方向１７に対して直角に延びる接線を湾曲部分に形成する（図１および図２）。
【００１３】
第２の測定目的（図３および図４）を実施するために、平面状の第２の測定ストッパ２２が設けられており、この第２の測定ストッパは測定方向１７とは反対向きに位置しており、これもまた基準面１８に位置する。この第２の測定ストッパ２２は、楔形旋回部材２４によって実現されており、この楔形旋回部材２４は、第１の測定ストッパ２１に対して平行に延びる旋回軸線２５を中心に旋回可能である。旋回軸線２５は、図１〜図３に示したように、ケーシング背面１６の下位領域に配置することも、たとえば第１の測定ストッパ２１の領域に形成することもできるので、第２の測定ストッパは自由な下位端部を有するようになる。ケーシング背面１６の、ケーシング下面に向かって延びる下位の角柱面１９に開口２６が設けられており、この開口２６を通って楔形旋回部材２４は完全にケーシング１１内に導入旋回可能であり、これは図２の断面図から見てとれ、かつケーシング１１から完全に導出旋回可能であり、これは図３〜図５から見てとれる。楔形旋回部材２４は互いに直角に方向付けられた２つの楔面２４１，２４２を備えており、これらのうちの楔面２４１は、第２の測定ストッパ２２を備えるか、または図示の実施例のように平面状の第２の測定ストッパ２２自体を成す。楔形旋回部材２４は、図３〜図５に示した基本位置を占めるように形成されており、この基本位置では、楔形旋回部材２４はケーシング１１から導出旋回されており、第２のストッパ２２は間隔測定のための基準面１８に位置する。基本位置では、楔形旋回部材２４は、ばね２７によってプレロード（予荷重）のかけられたロックキー２８によってロックされている。楔形旋回部材２４のこの基本位置では、第２の測定目的を実施することができ、このために平面状の第２の測定ストッパ２２は、測定対象物に向いた当接面たとえば壁に当接される。
【００１４】
楔形旋回部材２４の基本位置から出発して、第１の測定目的を実施しようとすると、図１および図２に示したように、ロックキー２８が押圧され、楔形旋回部材２４がケーシング１１に完全に導入旋回される。この場合楔形旋回部材２４の第２の楔面２４２は、楔形旋回部材２４の導入旋回位置で下位の角柱面１９における開口２６を閉鎖し、かつこの角柱面１９と同一平面を成すように、形成されている。楔形旋回部材２４の導入旋回位置では、ほぼライン状の第１の測定ストッパ２１は、第１の測定目的を実施するために解放されている。
【００１５】
第２の測定目的を実施するために、楔形旋回部材２４は、ケーシング１１から出発して図３〜図５に示した基本位置に再び導出旋回される。このために楔形旋回部材２４における楔面２４２の両側に、楔形旋回部材２４を把持するためのグリップ面２９が設けられている。楔形旋回部材２４の導入旋回位置でグリップ面２９がアプローチ可能であるようにするために、ケーシング１１の側壁３０まで延びる開口２６の領域で、ケーシング１１の側壁３０において角柱面１９に切欠３１が設けられており、楔形旋回部材２４が導入旋回位置でケーシング１１の内側に位置すると、前記切欠にそれぞれ１つのグリップ面２９が導入される。
【００１６】
第３の測定目的（図５）を実施するために、平面状の第３の測定ストッパ２３が設けられており、この第３の測定ストッパ２３は作動時に測定方向１７に向いていて、かつ間隔測定のための基準面１８に位置する。この第３の測定ストッパ２３は旋回フラップ３２に配置されており、楔形旋回部材２４におけるこの旋回フラップ３２は、楔形旋回部材２４の旋回軸線２５に対して平行の旋回軸線３３を中心に旋回可能である。旋回軸線３３は、楔形旋回部材２４の楔尖端部分の近くで延びている。旋回フラップ３２は、通常その背面が楔面２４２と同一平面を成すように、くぼみ３４に挿入されている。旋回フラップ３２は、背面とは反対向きの内側面で平面状の第３の測定ストッパ２３を備えており、この第３の測定ストッパ２３は、ここでも旋回フラップ３２自体の内側面から形成されている。第３の測定目的を実施するために、旋回フラップ３２はくぼみ３４から９０°導出旋回され、このためにくぼみ３４は前側領域で、旋回フラップ３２の自由端部が手で把持できるように形成されている。９０°の旋回位置で、旋回フラップ３２は、突起３５で、楔形旋回部材２４に形成されたストッパ３６に当接する。ストッパ３６と突起３５とは次のように配置されていて、つまり第３の測定ストッパ２３が間隔測定のための基準面１８に位置するような位置を、９０°導出旋回された旋回フラップ３２が占めるように配置されている。ストッパはそれぞれの終了位置で単数または複数のばねエレメントによって保持することができる。第３の測定目的の実施に際して、第３の測定ストッパ２３は、測定対象物とは反対向きの当接エッジまたは当接面に当接し、トリガキー１４の作動によって当接エッジまたは当接面と測定対象物との間の距離が測定される。第３の測定ストッパもまた間隔測定のための基準面１８に位置するので、手持ち式機器のディスプレイに表示された測定値は実際の距離である。
【図面の簡単な説明】
【図１】
作動状態でライン状の第１の測定ストッパを備えた、無接触式の間隔測定のための手持ち式機器を示す側面図である。
【図２】
図１における区分ＩＩを示す拡大断面図である。
【図３】
基本位置に位置する作動状態の第２の測定ストッパを備えた手持ち式機器を示す側面図である。
【図４】
図３における区分ＩＶを示す拡大断面図である。
【図５】
作動状態の第３の測定ストッパの、図３における区分ＩＶを示す拡大断面図である。
【符号の説明】
１１  ケーシング、  １２  上面、  １３  機能キー、  １４  キー、  １５  前面、  １６  背面、  １７  測定方向、  １８  基準面、  １９，２０  角柱面、  ２１  第１の測定ストッパ、  ２２  第２の測定ストッパ、  ２３  第３の測定ストッパ、  ２４  楔形旋回部材、  ２４１，２４２  楔面、  ２５  旋回軸線、  ２６  開口、  ２７  ばね、  ２８  ロックキー、  ２９  グリップ面、  ３０  側壁、  ３１  切欠、  ３２  旋回フラップ、  ３３  旋回軸線、  ２４  くぼみ、  ３５  突起、  ３６  ストッパ
【国際公開パンフレット】
2005504285.tif 000003
2005504285.tif 000004
2005504285.tif 000005
2005504285.tif 000006
2005504285.tif 000007
2005504285.tif 000008
2005504285.tif 000009
2005504285.tif 000010
2005504285.tif 000011
2005504285.tif 000012
2005504285.tif 000013
2005504285.tif 000014
2005504285.tif 000015
2005504285.tif 000016
2005504285.tif 000017
2005504285.tif 000018
【国際調査報告】
2005504285.tif 000019
2005504285.tif 000020
2005504285.tif 000021
2005504285.tif 000022